(57)【要約】      （修正有）【課題】線香と線香を立てる道具を収納する線香収納容器を提供する。【解決手段】線香４０を収納する収納部を有する容器本体１０と、有底部１２を有するとともに容器本体を封止する蓋２０とからなる線香入れ容器であり、容器本体には線香立て用板３０が配置され、線香立て用板には先端に穴が設けられており、穴には線香を立てるための金属製リングが嵌め込まれている。【選択図】図１
0003210901.tif 000002
【実用新案登録請求の範囲】
【請求項１】
線香を収納する収納部を有する容器本体と、有底部を有するとともに前記容器本体を封止する蓋とからなり、
前記容器本体には線香立て板が配置され、当該線香立て用板にはその先端に穴が設けられており、当該穴には前記線香を立てるための金属製リングが嵌め込まれていることを特徴とする線香入れ容器。
【請求項２】
前記容器本体と、前記蓋と、前記線香立て用板は木製からなる請求項１に記載の振出し容器。
【請求項３】
前記容器本体の前記収納部には、前記線香立て板と前記線香とを分離する仕切り板が配置されていることを特徴とする請求項１に記載の線香入れ容器。
【考案の詳細な説明】
【技術分野】
【０００１】  この考案は、線香と線香を立てる道具を収納する線香収納容器に関する。
【背景技術】
【０００２】  線香は仏壇や墓地などでお供えとして焚き、その香煙によって使用者や周囲の環境を浄化したり、瞑想などの意識を集中させる修行に使われる。
一方、近年のアロマテラピーの隆盛に伴って、線香の香りを部屋で焚きこめて精神的なリラグゼーションを得るための手段として用いられている。【０００３】  墓地や旅行など移動先で線香を焚くために、携帯できる線香収納容器が利用されており、線香と、ローソクと、ライターをまとめて携帯するケースが提案されている（特許文献１）。
また、必要数の線香やろうそくを簡単に取り出すことができ、携帯に便利な線香ろうそく携帯容器が提案されている（特許文献２）。
さらに、線香差し内部に線香立て等の備品を内包するような構造にすることで、携帯可能な線香収納容器がある（特許文献３）。【０００４】  これらの線香収納容器の中で、特許文献３のものは外出先でも線香を立てられるように、穴を有する円板状の多孔質体が容器本体の底部に入っており、この円板状の穴を利用して線香を立てるようにしている。【０００５】  しかし、円板状の多孔質体を容器底部に配置する構造であるため、この円板状多孔質体を取り出すには、容器本体に入っている線香も取り出す必要があり、用法が面倒である。また、円板状多孔質体としてはゼオライトや珪藻土など耐火性のもの記載されているが、線香を焚いて短くなったときに、確実に消火できるか不安が残る。
【先行技術文献】
【特許文献】
【０００６】
【特許文献１】特開２００７−２８９５９９号
【特許文献２】実用新案登録第３１６３４００号
【特許文献３】特開２０１５−１６３０６号
【考案の概要】
【考案が解決しようとする課題】
【０００７】  この考案は、線香と線香立てを一緒に収納できる線香収納容器を提供するとともに、焚いている線香が短くなったときに線香を確実に消火できる工夫を線香立てに施した線香収納容器を提供することを目的とする。
【課題を解決するための手段】
【０００８】    上記目的を達成するために、この考案の第１の要旨とするところは、線香を収納する収納部を有する容器本体と、有底部を有するとともに前記容器本体を封止する蓋とからなり、前記容器本体には線香立て板が配置され、当該線香立て用板にはその先端に穴が設けられており、当該穴には前記線香を立てるための金属製リングが嵌め込まれていることを特徴とする線香収納容器である。【０００９】  また、この考案の第２の要旨とするところは、第１の要旨において、前記容器本体と、前記蓋と、前記線香立て用板は木製からなる、線香収納容器である。【００１０】  さらに、この考案の第３の要旨とするところは、第１の要旨において、前記容器本体の収納部には、前記線香立て板と前記線香とを分離する仕切り板が配置されていることを特徴とする線香収納容器である。
【考案の効果】
【００１１】  この考案にかかる線香収納容器によれば、容器本体の収容部に線香と線香立て用板とを一緒に密閉収納でき、外出時に携帯できるとともに、線香の吸湿劣化を防止できる。【００１２】  この考案にかかる線香収納容器によれば、容器本体に線香立て用板が収納されているために、身近に線香を立てる道具を携帯することができ、線香を立てるところ探す面倒が省ける。線香を立て、火を付けた線香立て板は皿、灰皿などの上に置けば、線香の灰の飛散を防ぐことができる。【００１３】  この考案にかかる線香収納容器によれば、線香立て用板には線香を立てる箇所が金属製リングとなるので、線香が短くなった場合、線香が金属製リングに接触すると金属製リングは燃えることがないことはもちろん、線香から熱を奪って確実に線香を消火できる。【００１４】    また、この考案にかかる線香収納容器によれば、前記容器本体には、当該線香立て板と収納される線香とを分離する仕切り板とが配置されているので、線香と線香立て用板をそれぞれ確実に取り出すことができる。
【図面の簡単な説明】
【００１５】
【図１】この考案にかかる線香収納容器の一例を示す断面図である。
【図２】この考案にかかる線香収納容器に収納される線香立て示す斜視図。
【図３】図２に示した線香立ての一部断面図である。
【考案を実施するための形態】
【００１６】  添付した図１から図３にもとづいて、この考案にかかる線香収納容器の一例について説明する。
図１に示した線香収納容器は、線香４０を収納する容器本体１０と、有底部２１を有するとともに容器本体１０を封止する蓋２０とからなる。
【００１７】  まず、容器本体１０について説明する。容器本体１０は筒状で、木製のものである。容器本体１０は一端に開口部１１を、他端に有底部１２を備えた横断面が円筒状の収容部１３を有する。開口部１１側の外部側壁にはネジ部１４が形成されている。このネジ部１４を形成することにより、開口部１１側には段部１５が形成されている。この段部１５は後に説明する蓋２０を取り付けるときのストッパーの役割を果たす。
【００１８】  次ぎに、蓋２０の構成について説明する。この蓋２０は容器本体１０と同じ外径寸法で、有底部２１を有しており、容器本体１０と同様木製からなる。
なお、容器本体１０、蓋２０は円筒状で構成されているが、横断面形状が六角形など平面部を側面に有するもので構成してもよい。
【００１９】  容器本体１０の内部には線香立て用板３０が収納、配置される。この線香立て用板３０は木製の平面を有する棒体であり、一端３０ａから先端３０ｂに向かって先細り状である。先端近傍には穴３１が設けられており、この穴３１に真鍮、銅、アルミニウムなど熱伝導の良い金属製リング３２が嵌め込まれている。穴３１、金属製リング３２は円形に限らず多角形でもよい。また、一端３０ａ側付近には線香立て用板３０の両側面から底面向けて凹部３３が形成されており、指で線香立て用板３０を掴みやすくなっている。図２においては凹部３３が片側しか示されていないが、対向する線香立て用板３０の側面から底面に向けて凹部が形成されている。また、金属製リング３２の内径寸法は線香４０の外径寸法より若干小さくすることで、金属製リング３２の穴に線香４０を圧入して固定することができる。
【００２０】  また、容器本体１０の内部には、線香４０とこの線香４０と線香立て用板３０を分離する仕切り板５０とが収納、配置されている。
仕切り板５０の長さ寸法は線香４０の長さ寸法より短い。また、線香立て用板３０の長さ寸法は線香の長さ寸法より長い。したがって、仕切り板５０が容器本体１０に収納されていても、線香立て用板３０や線香４０や容器本体４０から引き出す際に仕切り板５０が邪魔になることはない。
なお、仕切り板５０は容器本体１０の中にフリーの状態で収容されるが、容器本体１０に固定してもよく、容器本体１０と一体に構成してもよい。
【符号の説明】
【００２１】１０  容器本体
１１  開口部
１２  有底部
１３  収容部
２０  蓋
２１  有底部
３０  線香立て用板
３１  孔
３２  金属製リング
３３  凹部
４０  線香
５０  仕切り板
【図１】
0003210901.tif 000003
【図２】
0003210901.tif 000004
【図３】
0003210901.tif 000005
【手続補正書】
【提出日】平成29年3月23日(2017.3.23)
【手続補正１】
【補正対象書類名】実用新案登録請求の範囲
【補正対象項目名】全文
【補正方法】変更
【補正の内容】
【実用新案登録請求の範囲】
【請求項１】
線香を収納する収納部を有する容器本体と、有底部を有するとともに前記容器本体を封止する蓋とからなり、
前記容器本体には線香立て用板が配置され、当該線香立て用板にはその先端に穴が設けられており、当該穴には前記線香を立てるための金属製リングが嵌め込まれていることを特徴とする線香収納容器。
【請求項２】
前記容器本体と、前記蓋と、前記線香立て用板は木製からなる請求項１に記載の線香収納容器。
【請求項３】
前記容器本体の前記収納部には、前記線香立て用板と前記線香とを分離する仕切り板が配置されていることを特徴とする請求項１に記載の線香収納容器。
【手続補正２】
【補正対象書類名】明細書
【補正対象項目名】０００８
【補正方法】変更
【補正の内容】
【０００８】  上記目的を達成するために、この考案の第１の要旨とするところは、線香を収納する収納部を有する容器本体と、有底部を有するとともに前記容器本体を封止する蓋とからなり、前記容器本体には線香立て用板が配置され、当該線香立て用板にはその先端に穴が設けられており、当該穴には前記線香を立てるための金属製リングが嵌め込まれていることを特徴とする線香収納容器である。
【手続補正３】
【補正対象書類名】明細書
【補正対象項目名】００１０
【補正方法】変更
【補正の内容】
【００１０】  さらに、この考案の第３の要旨とするところは、第１の要旨において、前記容器本体の収納部には、前記線香立て用板と前記線香とを分離する仕切り用板が配置されていることを特徴とする線香収納容器である。
【手続補正４】
【補正対象書類名】明細書
【補正対象項目名】００１２
【補正方法】変更
【補正の内容】
【００１２】  この考案にかかる線香収納容器によれば、容器本体に線香立て用板が収納されているために、身近に線香を立てる道具を携帯することができ、線香を立てるところを探す面倒が省ける。また線香を立て、火を付けた線香立て用板を皿、灰皿などの上に置けば、線香の灰の飛散を防ぐことができる。
【手続補正５】
【補正対象書類名】明細書
【補正対象項目名】００１４
【補正方法】変更
【補正の内容】
【００１４】  また、この考案にかかる線香収納容器によれば、前記容器本体には、当該線香立て用板と収納される線香とを分離する仕切り板とが配置されているので、線香と線香立て用板をそれぞれ確実に取り出すことができる。